(57)【要約】      （修正有）【課題】スーパーマーケット等でカートから会計台にカゴを載せ替える必要がなく、カートにカゴを載せたまま精算できる会計台を提供する。【解決手段】商品に付したバーコードをスキャナー３ｂで読み取り金額表示部に商品の金額を表示するスキャン機３、及び前記スキャン機にキーパッドを併設し商品の金額を手入力するプリセットキー４からなるレジスター部２と、前記レジスター部を載せるＬ字型の天板を有し内側に複数の収納スペースを設けたＬ字型会計台６、及び前記Ｌ字型会計台と同じ高さの天板に開閉式天板７ｆの一端を連結部により回動可能に接続した折り畳み式会計台７からなり、前記開閉式天板を水平に持ち上げ他端をＬ字型会計台にロックしたり、ボタン７ｇでロックを解除して下方に折り畳むことができる会計台５とからなることを特徴とする。【選択図】図１
0003152848.tif 000002
【実用新案登録請求の範囲】
【請求項１】
商品に付したバーコードをスキャナーで読み取り金額表示部に商品の金額を表示するスキャン機及び前記スキャン機にキーパッドを併設し商品の金額を手入力するプリセットキーからなるレジスター部と、前記レジスター部を載せるＬ字型の天板を有し内側に複数の収納スペースを設けたＬ字型会計台及び前記Ｌ字型会計台と同じ高さの天板に開閉式天板の一端を連結部により回動可能に接続した折り畳み式会計台からなり、前記開閉式天板を水平に持ち上げ他端をＬ字型会計台にロックし、ボタンでロックを解除して下方に折り畳むことができる会計台とからなることを特徴とするカートにカゴを載せたまま精算できる会計台。
【請求項２】
Ｌ字型会計台の角を開閉式天板とし、前記開閉式天板を折り畳んでカートを挿入することにより、前記カートにスキャン済みの商品を入れたカゴを載せやすくしたことを特徴とする請求項１に記載のカートにカゴを載せたまま精算できる会計台。
【考案の詳細な説明】
【技術分野】
【０００１】
本考案は、スーパーマーケット等でカートから会計台にカゴを載せ替える必要がないカートにカゴを載せたまま精算できる会計台に関する考案である。
【背景技術】
【０００２】
スーパーマーケット等では、お客が商品をカゴを入れ、カゴを会計台まで持って行くことにより、まとめて会計することができる。購入する商品の量が多い場合には、カートを利用することもできる。
【０００３】
特許文献１に記載されているように、引き出した状態のままの金銭出納用のドロワーを顧客通路側から隠蔽することにより、盗難を防止しうるようにしたチェックアウトカウンターの発明も公開されている。
【特許文献１】特開２００２−３０６２９３号公報
【０００４】
図６に示すように、従来の会計台１２は、縦長のサッカー台１４の脇にレジスター１３を載置した棚１５を配置している。サッカー台１４は、縦長の天板１４ａと、土台部１４ｂとからなる。
【０００５】
レジスター１３は、レジスター本体１３ａと、レジスター本体１３ａの下に設置されたドロワー１３ｂと、レジスター本体１３ａの上部に設置されレシートを印刷するプリンター１３ｃと、お客が支払う代金を載せる会計皿１３ｄとからなる。
【０００６】
棚１５は、中板１５ｃを複数設け上部にしっかりしたレジスター置き場１５ｂを備えた棚本体１５ａと、レジスター置き場１５ｂに載置したレジスター１３を隠すように取り付けられたレジフェンス１６とからなる。
【０００７】
しかしながら、従来の会計台では、買い物カゴをカートに載せていた場合、会計前に買い物カゴを一度カートからサッカー台へ置き、会計後に商品を移し替えた買い物カゴを再度カートに戻さなければならない。
【０００８】
大量に商品を購入した場合など買い物カゴが重いと、カートとサッカー台の間で２回も載せ替えを行わなければならず、お客にとって負担となる。また、買い物カゴの載せ替えが増えると会計に時間が掛かり、会計台に長蛇の列が出来てしまうこともある。
【考案の概要】
【考案が解決しようとする課題】
【０００９】
そこで、本考案は、カートから会計台にカゴを載せ替える必要がなく、カートのまま会計ができ、お客にとって負担が少なく、会計時間を短縮できる会計台を提供することを目的とするものである。
【課題を解決するための手段】
【００１０】
本考案は、上記の課題を解決するために、商品に付したバーコードをスキャナー３ｂで読み取り金額表示部３ａに商品の金額を表示するスキャン機３及び前記スキャン機３にキーパッド４ａを併設し商品の金額を手入力するプリセットキー４からなるレジスター部２と、前記レジスター部２を載せるＬ字型の天板６ａを有し内側に複数の収納スペースを設けたＬ字型会計台６及び前記Ｌ字型会計台６と同じ高さの天板７ａに開閉式天板７ｆの一端を連結部８により回動可能に接続した折り畳み式会計台７からなり、前記開閉式天板７ｆを水平に持ち上げ他端をＬ字型会計台６にロックしボタンでロックを解除して下方に折り畳むことができる会計台５とからなることを特徴とするカートにカゴを載せたまま精算できる会計台１の構成とした。
【考案の効果】
【００１１】
本考案であるカートにカゴを載せたまま精算できる会計台は、会計台の天板の一部を折り畳むことにより、会計台の間にカートを挿入することが出来るので、カゴをカートに載せたまま会計をすることができる。
【００１２】
また、レジ員は、会計前の商品と会計後の商品を区別するために、会計後の商品を別のカゴへ移すが、カートがレジ員の近くに来るので、会計後の商品が入ったカゴをカートに戻しやすくなる。
【考案を実施するための最良の形態】
【００１３】
商品の入ったカゴをカートに載せたまま会計をし、会計に要する時間を短くし、会計時のお客の手間を省くという目的を、会計台の天板の一部を折り畳むことができるようにすることで実現した。
【実施例１】
【００１４】
カートにカゴを載せたまま精算できる会計台１は、商品に付したバーコードをスキャナー３ｂで読み取り金額表示部３ａに商品の金額を表示するスキャン機３、及びスキャン機３にキーパッド４ａを併設し商品の金額を手入力するプリセットキー４からなるレジスター部２と、レジスター部２を載せるＬ字型の天板６ａを有し内側に複数の収納スペースを設けたＬ字型会計台６、及びＬ字型会計台６と同じ高さの天板７ａに開閉式天板７ｆの一端を連結部８により回動可能に接続した折り畳み式会計台７からなり、開閉式天板７ｆを水平に持ち上げ他端をＬ字型会計台６にロックしたり、ボタンでロックを解除して下方に折り畳むことができる会計台５とからなることを特徴とする。
【００１５】
図１は、本考案であるカートにカゴを載せたまま精算できる会計台の斜視図である。カートにカゴを載せたまま精算できる会計台１は、会計を行うレジスター部２と、レジスター部２を載せる会計台５とからなる。
【００１６】
更に、レジスター部２は、商品の金額を読み取るスキャン機３と、商品の金額を手入力するプリセットキー４とからなり、会計台５は、会計に使用するＬ字型会計台６と、カーとを入れるための折り畳み式会計台７とからなる。
【００１７】
スキャン機３は、読み取った商品の金額等を表示する金額表示部３ａと、商品に付したバーコードを読み取るスキャナー３ｂとからなり、ＰＯＳシステムと連携して集計等することができる。
【００１８】
金額表示部３ａは、スキャナー３ｂからの信号を受け取り、商品の名称や金額を表示したり、読み取った全ての商品の金額を集計して合計金額を表示することができる。また、お客に返却するお釣りの金額を表示することもできる。
【００１９】
スキャナー３ｂは、バーコードリーダーを備えており、商品に付したバーコードをかざすことにより、予め設定しておいた金額等の情報を読み取ることができる。尚、バーコード以外を読み取る光学読取装置を導入しても良い。
【００２０】
尚、スキャナー３ｂの下側には、スキャン機３を支えるための支持脚３ｃが取り付けられる。さらに、支持脚３ｃの下側には、土台部３ｄが設けられ、Ｌ字型会計台６の上に載せて固定することができる。
【００２１】
プリセットキー４は、数字等を入力するためのキーパッド４ａ等からなり、スキャン機３の金額表示部３ａの横に設置される。商品の情報をスキャナー３ｂで読み取れない場合に使用する。
【００２２】
キーパッド４ａには、０から９までの数値を入力するテンキーと、入力を補助するその他のキー等が配置される。バーコードを付していない、又はバーコードを読み取りにくい商品については、キーパッド４ａで対応することができる。
【００２３】
Ｌ字型会計台６は、スキャン機３が設置され、会計の際に商品やカゴを一時的に置いたりする台であり、天板６ａ、側面板６ｂ、６ｆ、仕切板６ｃ、６ｄ、６ｅ、中板６ｇ、６ｉ、６ｋ、及び底面板６ｈ、６ｊ、６ｌからなる。
【００２４】
天板６ａは、商品等を載せる一番上のＬ字形の板である。通路に沿った長い部分では、商品情報の読み取りとそれに伴う商品の移し替えを行い、内側へ直角に曲がった短い部分では、キャッシャー等を置いて金銭のやり取りを行う。
【００２５】
側面板６ｂ、６ｆは、天板６ａを一定の高さで支えるために立てられた板である。側面板６ｂは、天板６ａの短い方の端から垂下し、側面板６ｆは、天板６ａの長い方の端から垂下する。
【００２６】
仕切板６ｃ、６ｄ、６ｅは、側面板の間に立てて天板６ａを支える板である。仕切板６ｃは、天板６ａの短い方の付け根から垂下し、仕切板６ｄは、天板６ａの長い方の付け根から垂下し、仕切板６ｅは、天板６ａの仕切板６ｃと仕切板６ｄの間から垂下する。
【００２７】
中板６ｇ、６ｉ、６ｋは、天板６ａの下側の空間に、板を横向きに置いて空間を縦に区切る。中板６ｇは、天板６ａの短い方と側面板６ｂ及び仕切板６ｃで作る空間を複数の収納スペースに分ける。
【００２８】
また、中板６ｉは、天板６ａの長い方と仕切板６ｄ及び仕切板６ｅで作る空間を複数の収納スペースに分け、中板６ｋは、天板６ａの長い方と仕切板６ｅ及び側面板６ｆで作る空間を複数の収納スペースに分ける。
【００２９】
底面板６ｈは、天板６ａの短い方と側面板６ｂ及び仕切板６ｃで作る枠体の底であり、底面板６ｊは、天板６ａの長い方と仕切板６ｄ及び仕切板６ｅで作る枠体の底であり、底面板６ｌは、天板６ａの長い方と仕切板６ｅ及び側面板６ｆで作る枠体の底である。
【００３０】
折り畳み式会計台７は、Ｌ字型会計台６に繋げて設置した台であり、カートを通すために開閉する。天板７ａ、側面板７ｂ、７ｃ、中板７ｄ、底面板７ｅ、及びボタン７ｇを備えた開閉式天板７ｆからなる。
【００３１】
天板７ａは、開閉式天板７ｆを支える板である。開閉式天板７ｆを水平に持ち上げるとＬ字型会計台６と繋げることができ、天板７ａ及び開閉式天板７ｆとＬ字型会計台６の天板６ａとが連続面となる。
【００３２】
側面板７ｂ、７ｃは、天板７ａをＬ字型会計台６の天板６ａと同じ高さで支えるために立てられた板である。側面板７ｂは、天板７ａの一端から垂下し、側面板７ｃは、天板７ａの他端から垂下する。
【００３３】
中板７ｄは、天板７ａと側面板７ｂ及び側面板７ｃで作る空間に、板を横向きに置いて複数の収納スペースに作る。また、底面板７ｅは、天板７ａと側面板７ｂ及び側面板７ｃで作る枠体の底である。
【００３４】
開閉式天板７ｆは、一端が天板７ａの側面に連結部８を介して取り付けられ、他端を回動させることができる。他端を持ち上げて水平にしたり、垂直に下ろして折り畳んだりすることができる。
【００３５】
開閉式天板７ｆを水平に持ち上げた場合は、Ｌ字型会計台６の長い方の端に接続してロックすることができる。尚、ボタン７ｇでロックを解除すると、開閉式天板７ｆは下りて折り畳まれる。
【００３６】
図２は、本考案であるカートにカゴを載せたまま精算できる会計台の開閉式天板を持ち上げた状態を示す拡大図であり、図３は、本考案であるカートにカゴを載せたまま精算できる会計台の開閉式天板を折り畳んだ状態を示す拡大図である。
【００３７】
図２に示すように、開閉式天板７ｆを水平に持ち上げてＬ字型会計台６に接続すると、折り畳み式会計台７の天板７ａとＬ字型会計台６の天板６ａとを水平に繋ぐことができ、折り畳み式会計台７をＬ字型会計台６の延長として使用することができる。
【００３８】
開閉式天板７ｆと天板７ａとは、連結部８により接続される。連結部８は、固定板８ａと固定板８ｂとからなる蝶番であり、固定板８ａを開閉式天板７ｆの下面に、固定板８ｂを天板７ａの側面に留め具８ｃを使用して取り付ける。
【００３９】
開閉式天板７ｆとＬ字型会計台６の天板６ａとは、ストッパー等を使用して接続する。例えば、開閉式天板７ｆの側面にバネ状に伸縮するストッパーを設け、Ｌ字型会計台６の天板６ａの側面に空けた溝に、伸びたストッパーを嵌め込んで固定する。
【００４０】
図３に示すように、開閉式天板７ｆを垂直に下ろして折り畳むと、Ｌ字型会計台６と折り畳み式会計台７の間に隙間が生じ、カートが通り抜けることができるようになる。尚、開閉式天板７ｆの長さは、カートの幅よりも大きくしておく。
【００４１】
開閉式天板７ｆは、ボタン７ｇによりストッパー縮めて簡単に外すことができる。一端が連結部８により回動可能に接続されているため、支えるものが無くなった他端が落下して側面板７ｂに沿って縦状に折り畳まれる。
【００４２】
図４は、本考案であるカートにカゴを載せたまま精算できる会計台の使用状態を示す斜視図である。お客がカート１０を使用している場合は、開閉式天板７ｆを下ろしてＬ字型会計台６と折り畳み式会計台７の間の隙間にカート１０を通す。
【００４３】
カート１０は、後支柱１０ｄ及び前支柱１０ｅに支えられた上荷台部１０ａと下荷台部１０ｂにカゴ１１を載せることができ、大量の商品を入れることができる。お客は、ハンドル１０ｃによりカート１０を自在に移動させることができる。
【００４４】
カート１０がレジ員９の傍まで来るので、レジ員９又はお客がカート１０からカゴ１１をＬ字型会計台６に載せる必要はなく、レジ員９は、そのままカート１０内のカゴ１１から商品を取り出してスキャン機３に当てることができる。
【００４５】
レジ員９は、カート１０から空のカゴ１１を取り除いて、スキャン機３に当てた後の商品が入った別のカゴ１１を再びカート１０に戻すことにより、会計後のお客は、カート１０で積み替え台まで移動することができる。
【００４６】
お客がカート１０を移動させ、積み替え台で袋詰め又は箱詰めした後に、返却場所に戻してくれるため、会計台５にカート１０が溜まってしまうのも防止できる。すなわち、レジ員９とお客の両方に取って負担の軽減となる。
【００４７】
次に来たお客がカート１０を使用していない場合は、レジ員９は、開閉式天板７ｆを上げて一連の天板状態にしておく。お客の状態に柔軟にかつ迅速に対応することにより、会計を効率的に進めることができる。
【実施例２】
【００４８】
カートにカゴを載せたまま精算できる会計台１ａは、Ｌ字型会計台６の角を開閉式天板６ｍとし、開閉式天板６ｍを折り畳んでカート１０を挿入することにより、カート１０にスキャン済みの商品を入れたカゴ１１を載せやすくしたことを特徴とする。
【００４９】
図５は、本考案であるカートにカゴを載せたまま精算できる会計台の斜視図である。カートにカゴを載せたまま精算できる会計台１ａは、Ｌ字型会計台６の天板部分が、長い部分の天板６ａ、角の部分の開閉式天板６ｍ、及び短い部分の天板６ｎからなる。
【００５０】
開閉式天板６ｍは、折り畳むことができ、隙間にカートを挿入することができる。尚、開閉式天板６ｍは、開閉式天板７ｆと同様に、天板６ｎと蝶番等で回動可能に取り付け、天板６ａとストッパー等で支持又は支持解除ができる構造とする。
【００５１】
レジ員９がカート１０内のカゴ１１から別のカゴ１１へ商品を全て移したら、お客はカート１０を、開閉式天板７ｆの位置の隙間から開閉式天板６ｍの位置の隙間へ移動させて、別のカゴ１１をカート１０に戻す。
【００５２】
空のカート１０を先に進めておくことで、会計後に商品の入ったカゴ１１をカート１０に戻して移動する際に、積み替え台までの距離が短くなり、さらにお客の列の流れがスムーズになる。
【図面の簡単な説明】
【００５３】
【図１】本考案であるカートにカゴを載せたまま精算できる会計台の実施例１の斜視図である。
【図２】本考案であるカートにカゴを載せたまま精算できる会計台の開閉式天板を持ち上げた状態を示す拡大図である。
【図３】本考案であるカートにカゴを載せたまま精算できる会計台の開閉式天板を折り畳んだ状態を示す拡大図である。
【図４】本考案であるカートにカゴを載せたまま精算できる会計台の使用状態を示す斜視図である。
【図５】本考案であるカートにカゴを載せたまま精算できる会計台の実施例２の斜視図である。
【図６】従来の会計台の斜視図である。
【符号の説明】
【００５４】
１      カートにカゴを載せたまま精算できる会計台
１ａ    カートにカゴを載せたまま精算できる会計台
２      レジスター部
３      スキャン機
３ａ    金額表示部
３ｂ    スキャナー
３ｃ    支持脚
３ｄ    土台部
４      プリセットキー
４ａ    キーパッド
５      会計台
６      Ｌ字型会計台
６ａ    天板
６ｂ    側面板
６ｃ    仕切板
６ｄ    仕切板
６ｅ    仕切板
６ｆ    側面板
６ｇ    中板
６ｈ    底面板
６ｉ    中板
６ｊ    底面板
６ｋ    中板
６ｌ    底面板
６ｍ    開閉式天板
６ｎ    天板
７      折り畳み式会計台
７ａ    天板
７ｂ    側面板
７ｃ    側面板
７ｄ    中板
７ｅ    底面板
７ｆ    開閉式天板
７ｇ    ボタン
８      連結部
８ａ    固定板
８ｂ    固定板
８ｃ    留め具
９      レジ員
１０    カート
１０ａ  上荷台部
１０ｂ  下荷台部
１０ｃ  ハンドル
１０ｄ  後支柱
１０ｅ  前支柱
１１    カゴ
１２    会計台
１３    レジスター
１３ａ  レジスター本体
１３ｂ  ドロワー
１３ｃ  プリンター
１３ｄ  会計皿
１４    サッカー台
１４ａ  天板
１４ｂ  土台部
１５    棚
１５ａ  棚本体
１５ｂ  レジスター置き場
１５ｃ  中板
１６    レジフェンス
【図１】
0003152848.tif 000003
【図２】
0003152848.tif 000004
【図３】
0003152848.tif 000005
【図４】
0003152848.tif 000006
【図５】
0003152848.tif 000007
【図６】
0003152848.tif 000008